(57)【要約】      （修正有）【課題】壁面に取付けて、その取付けをロックする機構や、そのロックを解除する機構を外部より見えないようにし、収納スペースを多く取らず、傾斜取付け、フラット状取付け、フラット浮かし状取付けの３種類の取付けが可能なキャプションケースを提供する。【解決手段】平板状基板の上下端表面側にそれぞれ保持溝２，３を形成したアルミカバー４と、前記アルミカバー裏面に取付けられる、上下方向の受入溝５を刻設したアルミ受金具６と、前記アルミ受金具の受入溝に挿入して取付ける、概略Ｖ字状で壁面取付片７を斜状に形成したバネベース８とよりなるキャプションケースとした。【選択図】  図１
2008040236.tif 000002
【特許請求の範囲】
【請求項１】
平板状基板の上下端表面側にそれぞれ保持溝を形成したアルミカバーと、前記アルミカバー裏面に取付けられる、上下方向の受入溝を刻設したアルミ受金具と、前記アルミ受金具の受入溝に挿入して取付ける、概略Ｖ字状で壁面取付片を斜状に形成したバネベースとよりなるキャプションケース。
【請求項２】
平板状基板の上下端表面側にそれぞれ保持溝を形成したアルミカバーのみからなるキャプションケースを、壁面にフラット状で取付けるようにしたキャプションケース。
【請求項３】
平板状基板の上下端表面側にそれぞれ保持溝を形成したアルミカバーと、前記アルミカバー裏面に取付けられる、上下方向の受入溝を刻設したアルミ受金具からなるキャプションケースを、壁面にフラット浮かし状で取付けるようにしたキャプションケース。
【発明の詳細な説明】
【技術分野】
【０００１】
本発明は、美術館や博物館の展示物の近傍に、展示物の説明文を表示するキャプションケースに関するものである。
【背景技術】
【０００２】
現存するキャプションケースは、キャプションケースを壁面に取付けて、その取付けをロックする機構や、そのロックを解除する機構が外部より見えて見栄えが良くない。
【０００３】
また、現存するキャプションケースは、キャプションケースを壁面に取付けて、その取付けをロックしたり解除したりするのに特別な工具が必要である。
【０００４】
さらに、現存するキャプションケースは嵩張り、収納スペースを多くとる。
【０００５】
さらにその上に、現存するキャプションケースは、一個のキャプションケースで傾斜取付け、フラット状取付け、フラット浮かし状取付けの３種類の取付けができるものは存在しない。
【特許文献１】特開２００６−１１６０３３号公報
【発明の開示】
【発明が解決しようとする課題】
【０００６】
現存するキャプションケースは、壁面に取付けて、その取付けをロックする機構や、そのロックを解除する機構が外部より見えて見栄えが良くない。
【０００７】
また、壁面に取付けて、その取付けをロックしたり解除したりするのに特別な工具が必要である。
【０００８】
さらに、現存するキャプションケースは嵩張り、収納スペースを多くとる。
【０００９】
さらにその上に、現存するキャプションケースは、一個のキャプションケースで傾斜取付け、フラット状取付け、フラット浮かし状取付けの３種類の取付けができるものは存在しない。
【００１０】
本発明は、壁面に取付けて、その取付けをロックする機構や、そのロックを解除する機構を外部より見えないようにし、収納スペースを多く取らず、傾斜取付け、フラット状取付け、フラット浮かし状取付けの３種類の取付けが可能なキャプションケースの提供が待たれている。
【課題を解決するための手段】
【００１１】
そこで、本発明は、上記の事情に鑑み、壁面に取付けて、その取付けをロックする機構や、そのロックを解除する機構を外部より見えないようにし、収納スペースを多く取らず、傾斜取付け、フラット状取付け、フラット浮かし状取付けの３種類の取付けが可能なキャプションケースを提供すべく、平板状基板の上下端表面側にそれぞれ保持溝を形成したアルミカバーと、前記アルミカバー裏面に取付けられる、上下方向の受入溝を刻設したアルミ受金具と、前記アルミ受金具の受入溝に挿入して取付ける、概略Ｖ字状で壁面取付片を斜状に形成したバネベースとよりなるキャプションケースとした。
【００１２】
また、本発明は、フラット状取付けを可能とすべく、平板状基板の上下端表面側にそれぞれ保持溝を形成したアルミカバーのみからなるキャプションケースを、壁面にフラット状で取付けるようにしたキャプションケースとした。
【００１３】
さらに、本発明は、フラット浮かし状取付けを可能とすべく、平板状基板の上下端表面側にそれぞれ保持溝を形成したアルミカバーと、前記アルミカバー裏面に取付けられる、上下方向の受入溝を刻設したアルミ受金具からなるキャプションケースを、壁面にフラット浮かし状で取付けるようにしたキャプションケースとした。
【発明の効果】
【００１４】
本発明は、平板状基板の上下端表面側にそれぞれ保持溝を形成したアルミカバーと、前記アルミカバー裏面に取付けられる、上下方向の受入溝を刻設したアルミ受金具と、前記アルミ受金具の受入溝に挿入して取付ける、概略Ｖ字状で壁面取付片を斜状に形成したバネベースとよりなるキャプションケースであるので、壁面に取付けて、その取付けをロックする機構や、そのロックを解除する機構を外部より見えないようにし、収納スペースを多く取らず、傾斜取付け、フラット状取付け、フラット浮かし状取付けの３種類の取付けが可能なキャプションケースである。
【００１５】
また、本発明は、平板状基板の上下端表面側にそれぞれ保持溝を形成したアルミカバーのみからなるキャプションケースを、壁面にフラット状で取付けるようにしたキャプションケースであるので、フラット状取付けが可能である。
【００１６】
さらに、本発明は、平板状基板の上下端表面側にそれぞれ保持溝を形成したアルミカバーと、前記アルミカバー裏面に取付けられる、上下方向の受入溝を刻設したアルミ受金具からなるキャプションケースを、壁面にフラット浮かし状で取付けるようにしたキャプションケースであるので、フラット浮かし状取付けが可能である。
【発明を実施するための最良の形態】
【００１７】
添付する図面に示す本発明の具体的実施例に基づいて、以下詳細に説明する。
【００１８】
図１は、本発明の全体の概要で傾斜取付け状態を示す側面図、図２はアルミカバーの平面図、図３は図２のIII −III 断面図、図４は図２のIV−IV断面図、図５はアルミ受金具の正面図と平面図との２面図、図６はバネベースの斜視図、図７はバネベースの正面図、側面図、背面図の３面図、図８は図７のVIII−VIII断面図、図９はアルミカバーにアルミ受金具を取付けたキャプションケースの正面図と平面図との２面図、図１０はアルミカバーを壁面にフラット状に取付けたキャプションケースの断面図、図１１はアルミ受金具を付したアルミカバーをフラット浮かし状に取付けたキャプションケースの断面図である。      
【００１９】
本発明は、平板状基板１の上下端表面側にそれぞれ保持溝２・３を形成したアルミカバー４と、前記アルミカバー４裏面に取付けられる、上下方向の受入溝５を刻設したアルミ受金具６と、前記アルミ受金具６の受入溝５に挿入して取付ける、概略Ｖ字状で壁面取付片７を斜状に形成したバネベース８とよりなるキャプションケースである。
【００２０】
アルミカバー４は、図２、図３及び図４に示すように、平板状基板９の上端から上突出片１０を表面側に向けて突出させ、上突出片１０先端から下向係止片１１を垂下させて上保持溝２を形成し、平板状基板９の下端から下突出片１２を表面側に向けて突出させ、下突出片１２先端から上向係止片１３を垂上させて下保持溝３を形成する。このアルミカバー４は押出形材で形成し、アルマイト仕上げを行う。符号１４は傾斜用取付孔、符号１５はフラット取付用皿孔、符号１６はアルミ受金具６の取付用皿孔である。
【００２１】
アルミ受金具６は、図５に示すように、アルミカバー４裏面に取付けられる、上下方向の受入溝１７を刻設する。受入溝１７はフライス盤で切削する。符号１８は傾斜用取付孔、符号１９はアルミカバー４にアルミ受金具６を取付けるネジ孔である。アルミ受金具６の仕上げはアルマイト仕上げで行う。
【００２２】
バネベース８の全体の斜視図を図６に示す。概略Ｖ字状で、前記アルミ受金具６の受入溝１７に挿入する挿入片２０と壁面に取付ける斜状の壁面取付片２１を有し、挿入片２０と壁面取付片２１とのそれぞれの上端を長方形状の基片２２で連接する。このバネベース８は０．５ｍｍ板厚のステンレスばね材で、仕上げは酸洗いされている。
【００２３】
挿入片２０の下部には１ｍｍ幅のコ字状孔抜き２３を穿設し、さらにコ字状孔抜き２３の下部に長孔２４を穿設して折り曲げ係止片２５を形成する。折り曲げ係止片２５は壁面取付片２１側に曲げて形成する。この挿入片２０の上部には傾斜用取付孔２６を穿設する。
【００２４】
図７にバネベース８の詳細が示され、壁面取付片２１は挿入片２０に対し１５°程度の角度に形成する。壁面取付片２１の上部にはスリムビス２７（図１参照）を挿通させるための挿通孔２８が穿設してある。図７のVIII−VIII断面が図８に示されている。
【００２５】
図９の正面図にはアルミカバー４の裏面中央にアルミ受金具６が取付けられ、アルミ受金具６にはバネベース８が装着した状態が示され、図９の平面図にはアルミカバー４の裏面にアルミ受金具６のみが取付けられた状態が示されている。
【００２６】
アルミ受金具６はアルミカバー４の取付用皿孔１６に皿ビス２９を挿入し、アルミカバー４に螺締する。
【００２７】
アルミ受金具６の下端にバネベース８の折り曲げ係止片２５の上端が当接してアルミカバー４・アルミ受金具６を係止している。符号１４は傾斜用取付孔、符号１５はフラット取付用皿孔で、符号２８はバネベース８の壁面取付片２１の挿通孔である。
【００２８】
傾斜取付けは図１のようにして行う。
【００２９】
アルミカバー１には、紙や板紙、その他の板材で製作され、表面に展示物の題名や制作者名、展示物等の説明文を付したキャプションプレート３０の上下端をそれぞれ上保持溝２、下保持溝３に嵌めて保持させる。
【００３０】
まず、バネベース８の壁面取付片７の挿通孔２８にスリムビス２７を挿入して壁面２９の所要高さに螺締する。
【００３１】
次に、アルミカバー４・アルミ受金具６の受入溝５を、バネベース８の挿入片２０の下方から上方に向けて係止片２５がアルミ受金具６の下端に当接するまで差し込む。差し込み当初は係止片２５は受入溝５内で押圧され、受入溝５を通過すると係止片２５の弾性により壁面取付片７側に復帰して、係止片２５の上端がアルミ受金具６下端に当接して、アルミカバー４・アルミ受金具６を保持する。これにより傾斜取付けが完了する。
【００３２】
この傾斜取付けを解除するには、バネベース８の傾斜片２５の上部をアルミカバー４の裏面側に向けて押圧してアルミカバー４・アルミ受金具６を下方へ移動させると、挿入片２０下端が受入溝５の上端を通過すれば、アルミカバー４・アルミ受金具６は壁面２９に固着されたバネベース８より外れる。
【００３３】
本発明によると、壁面２９への取付けや、その取付けをロックしたり解除したりするのに特別な工具は全く必要ない。
【００３４】
フラット状取付けは、図１０に示すように、アルミカバー４のフラット取付用皿孔１５にスリムビス２７を挿入して壁面２９に螺締してアルミカバー４を固定する。
【００３５】
次に、フラット浮かし状取付けは、図１１に示すように、アルミカバー４の裏面にアルミ受金具６を固着しておき、アルミカバー４のフラット取付用皿孔１５・アルミ受金具６の孔３１にスリムビス２７を挿入して壁面２９に螺締してアルミカバー４・アルミ受入金具２６を固定する。
【００３６】
上記のようにして、本発明は、傾斜取付け、フラット状取付け、フラット浮かし状取付けの３種類の取付けが可能である。
【００３７】
本発明のアルミカバー４、アルミ受金具６、バネベース８で構成されるキャプションケースは、積み重ねができるので、収納スペースを多く取らない。
【実施例１】
【００３８】
アルミカバー４の大きさは１２０ｍｍ×１５０ｍｍ、厚さ５ｍｍ、アルミ受入金具６の大きさは６０ｍｍ×５０ｍｍ、厚さ３ｍｍ、バネベース８の大きさは幅４７ｍｍ、挿入片２０の長さ７０ｍｍ、基片２２の長さ９．５ｍｍ、壁面取付片２１の長さ５０ｍｍ、板厚０．５ｍｍである。
【産業上の利用可能性】
【００３９】
本発明は、主として美術館や博物館の展示物のキャプションケースについて述べたが、他の一般的な産業の展示物用にも利用できる。
【図面の簡単な説明】
【００４０】
【図１】本発明の全体の概要で傾斜取付け状態を示す側面図である。
【図２】アルミカバーの平面図である。
【図３】図２のIII −III 断面図である。
【図４】図２のIV−IV断面図である。
【図５】アルミ受金具の正面図と平面図との２面図である。
【図６】バネベースの斜視図である。
【図７】バネベースの正面図、側面図、背面図の３面図である。
【図８】図７のVIII−VIII断面図である。
【図９】アルミカバーにアルミ受金具を取付けたキャプションケースの正面図と平面図との２面図である。
【図１０】アルミカバーを壁面にフラット状に取付けたキャプションケースの断面図である。
【図１１】アルミ受金具を付したアルミカバーをフラット浮かし状に取付けたキャプションケースの断面図である。
【符号の説明】
【００４１】
９…平板状基板
２・３…保持溝（上保持溝、下保持溝）
４…アルミカバー
５…受入溝
６…アルミ受金具
７…壁面取付片
８…バネベース
２９…壁面
【図１】
2008040236.tif 000003
【図２】
2008040236.tif 000004
【図３】
2008040236.tif 000005
【図４】
2008040236.tif 000006
【図５】
2008040236.tif 000007
【図６】
2008040236.tif 000008
【図７】
2008040236.tif 000009
【図８】
2008040236.tif 000010
【図９】
2008040236.tif 000011
【図１０】
2008040236.tif 000012
【図１１】
2008040236.tif 000013